(57)【特許請求の範囲】
【請求項１】
記録坦体と記録装置を有する情報記録システムであって、
コードのシークエンスを有する補助信号に従って横断方向に変調されている予め形成された連続するトラックを有する記録坦体であって、前記コードが、アドレスコードが位置する逐次トラック部分のアドレスを規定するアドレスコードを有し、コードの前記シークエンスが、前記記録システムによる使用のための制御データを規定する補助コードも含み、前記補助コードが、当該シークエンス内で前記アドレスコードと交互に配置されていて、前記アドレスコードと前記補助コードが同一のデータフォーマットを有し、かつ前記補助コードが、当該アドレスコードとそれらを識別する識別要素を有する、記録坦体、および
当該トラックから当該補助信号を読出す読出し手段と、当該トラックに情報を記録する記録手段と、当該トラックから読出された当該補助信号から同一のデータフォーマットを有する当該コードを検索する手段および当該アドレスコードと当該補助コードを選択的に抽出する抽出手段と、当該補助コードによって規定される当該制御データに従って当該記録手段を制御する制御手段とを有する、記録装置を、
有する情報記録システム。
【請求項２】
当該補助コードが当該アドレスコード内に発生しないビット組合せを有するように、当該補助コードが、当該アドレスコードとは異なる、請求項１に記載の情報記録システム。
【請求項３】
当該記録手段が、当該トラックに当該情報信号を記録するエネルギーレベルを有する放射の書き込みビームを生成するように構成されていて、当該制御データが、当該書き込みビームの所望のエネルギーレベルを規定し、かつ当該制御手段が、当該記録手段に、当該書き込みビームのエネルギーレベルを当該所望のエネルギーレベルに調整させるように構成されている、請求項1に記載の情報記録システム。
【請求項４】
コードが当該トラック上で等距離の位置に存在するように、当該アドレスコードと当該補助コードが、当該補助信号内に配置されていて、当該アドレスコードが、それらが位置する位置と特定参照位置との間の、前記トラック方向に測定される距離を示し、そして
当該記録装置が、更に、
読出された当該補助信号から、当該トラック上で等距離の位置にある前記コードと同期するクロック信号を導出する同期手段と、
当該クロック信号に応答して計数するカウンタと、
当該補助信号から抽出された当該アドレスコードに応答して、当該トラックからの当該補助信号から選択的に抽出された当該アドレスコードに従って当該カウンタをセットする手段とを
有する、請求項1に記載の情報記録システム。
【請求項５】
当該アドレスコードが、前記距離を再生時間として規定する絶対時間コードを含む、請求項４に記載の情報記録システム。
【請求項６】
当該トラックが、前記トラック方向を横断する当該トラックの周期的な揺動が存在するように、横断方向に変調され、当該周期的な揺動の周波数が、当該補助信号に対応するように変調され、当該読出し手段が、当該揺動を検出し、そして対応する周波数変調された検出信号を生成するように構成されていて、そして当該記録装置が、当該検出信号を復調し、これにより当該補助信号を再生する手段を更に含む、請求項1に記載の情報記録システム。
【請求項７】
当該トラック部分が、共通の回転中心について実質上同心であり、かつ当該アドレスコードが、当該回転中心から半径方向の所定の距離にある参照位置に対する当該トラック部分のアドレスを示す、請求項1に記載の情報記録システム。
【請求項８】
当該記録装置が、当該情報信号の特定の部分が記録されているトラック部分の前記アドレスコードを与える当該トラックにテーブルオブコンテンツを記録する手段と、当該トラックから読み出された当該補助コードから、当該テーブルオブコンテンツの記録が行われるべき前記トラック部分の位置を決定する手段とを、更に含む、請求項1に記載の情報記録システム。
【請求項９】
当該記録装置が、当該情報信号の終端を示すリードアウト信号を記録する手段と、当該リードアウト信号の記録を、当該トラックの終端の前に完了させるために、開始しなければならない前記トラック部分の位置を、当該トラックから読出された当該補助コードから決定する手段とを、更に含む、請求項８に記載の情報記録システム。
【請求項１０】
当該記録装置が、当該情報信号の前記終端を示すリードアウト信号を記録する手段と、当該リードアウト信号の記録が、当該トラックの前記終端の前に完了させるために、開始しなければならない前記トラック部分の位置を、当該トラックから読み出された当該補助コードから決定する手段とを、更に含む、請求項1に記載の情報記録システム。
【請求項１１】
当該補助コードが当該アドレスコード内に発生しないビット組合せを有するように、当該補助コードが、当該アドレスコードとは異ならせることが可能であることを特徴とする、請求項1に記載の情報記録システム。
【請求項１２】
補助信号が、
(i) アドレスコードが位置する逐次トラック部分のアドレスを規定する逐次アドレスコード、および
(ii) 記録装置による使用のための制御データを規定する、当該アドレスコードと交互に配置されている補助コードであって、前記アドレスコードと前記補助コードが、同一のデータフォーマットを有し、かつ当該補助コードが、当該アドレスコードとそれらを識別する識別要素を有する補助コード
を有し；
当該補助信号に従って横断方向に変調されている連続する予め形成された記録トラックを有する記録坦体から、補助信号を読出す読出し手段と、
当該トラックから読出された当該補助信号から同一のデータフォーマットを有する当該コードを検索する手段と当該記録担体から読出された当該補助信号から当該アドレスコードと当該補助コードを選択的に抽出するための抽出手段と、
当該トラックに情報信号を記録する記録手段と、
当該補助コードによって規定される当該制御データに従って、当該記録手段を制御する制御手段とを
有する記録装置。
【請求項１３】
当該記録手段が、当該トラックに当該情報信号を記録するためのエネルギーレベルを有する放射の書き込みビームを生成するように構成されていて、当該制御データが、当該書き込みビームに対する所望のエネルギーレベルを規定し、かつ当該制御手段が、当該記録手段に、当該書き込みビームの前記エネルギーレベルを当該所望のエネルギーレベルに調整させるように構成されている、請求項12に記載の記録装置。
【請求項１４】
コードが当該トラック上で等距離の位置に存在するように、当該アドレスコードと当該補助コードが、当該補助信号内に配置されていて、当該アドレスコードが、それらが位置決めされている位置および特定参照位置間の、前記トラック方向に測定される距離を示し、そして
当該記録装置が、更に、
読出された当該補助信号から、当該トラック上で等距離の位置にある前記コードと同期するクロック信号を導出する同期手段と、
当該クロック信号に応答して計数するカウンタと、
当該補助信号から抽出された当該アドレスコードに応答して、当該トラックからの当該補助信号から選択的に抽出された当該アドレスコードに従って当該カウンタをセットする手段とを
有する請求項12に記載の記録装置。
【請求項１５】
当該トラックが、前記トラック方向を横断する当該トラックの周期的な揺動が存在するように、横断方向に変調され、当該周期的な揺動の周波数が、当該補助信号に対応するように変調され、当該読出し手段が、当該揺動を検出し、そして対応する周波数変調された検出信号を生成するように構成されていて、そして前記記録装置が、当該検出信号を復調し、これにより当該補助信号を再生する手段を更に含む、請求項12に記載の記録装置。
【請求項１６】
当該情報信号の特定の部分が記録されるトラック部分の前記アドレスコードを与える当該トラックに、テーブルオブコンテンツを記録する手段と、当該テーブルオブコンテンツの記録が行われるべき前記トラック部分の位置を当該トラックから読出された当該補助コードから決定する手段とを、更に含む、請求項12に記載の記録装置。
【請求項１７】
当該情報信号の前記終端を示すリードアウト信号を記録する手段と、当該リードアウト信号の記録が、当該トラックの前記終端の前に完了させるために、開始しなければならない前記トラック部分の位置を、当該トラックから読出された当該補助コードから決定する手段とを、更に含む、請求項16に記載の記録装置。
【請求項１８】
当該情報信号の前記終端を示すリードアウト信号を記録する手段と、当該リードアウト信号の記録が、当該トラックの前記終端の前に完了させるために、開始しなければならない前記トラック部分の位置を、当該トラックから読出された当該補助コードから決定する手段とを、更に含む、請求項12に記載の記録装置。
【請求項１９】
アドレスコードが位置決めされる逐次トラック部分のアドレスを規定する逐次アドレスコードと、前記アドレスコードと交互に配置されていて、情報の記録に使用するために制御データを規定する補助コードとを、含む補助信号に従って、横断方向に変調されている予め形成された連続する記録トラックを有し、前記アドレスコードと前記補助コードとが同一のデータフォーマットを有し、かつ当該補助コードが、当該アドレスコードとそれらを識別する識別要素を有している、記録坦体に情報を記録する方法であって、
前記方法が、
前記トラックから前記補助信号を読出すこと、
読出された前記補助信号から前記アドレスコードと前記補助コードを選択的に抽出すること、および
前記トラックに前記情報を記録するさいに前記補助コードによって規定される前記制御データを使用することとを
有する、記録坦体に情報を記録する方法。
【請求項２０】
前記補助コードが、前記アドレスコード内に発生しないビット組合せを有するように、前記補助コードが、前記アドレスコードとは異なる、請求項19に記載の方法。
【請求項２１】
前記トラック部分が、共通の回転中心について実質上同心であり、かつ前記アドレスコードが、前記回転中心から所定の半径方向の距離にある参照位置に対する前記トラック部分のアドレスを示す、請求項19に記載の方法。
【請求項２２】
前記情報が、エネルギーレベルを有する放射の書き込みビームによって前記トラックに記録され、そして前記制御データが、前記書き込みビームに対する所望のエネルギーレベルを規定し、そして前記補助コードを抽出する際、またはその後、前記所望のエネルギーレベルが、決定され、そして前記情報の記録の際、前記書き込みビームの前記エネルギーレベルが、前記所望のレベルに設定される、請求項19に記載の方法。
【請求項２３】
前記トラック方向を横断する前記トラックの周期的な揺動が、存在するように、前記トラックが、横断方向に変調され、そして当該周期的な揺動の周波数が、当該補助信号に対応するように変調され、前記揺動が、前記補助信号と一致した周波数を有し、そして前記補助信号の読出しの際、前記揺動が検出され、そして対応する周波数変調された検知信号が生成され、そして前記変調された検知信号が、復調され、これにより前記補助信号が再生される、請求項19に記載の方法。
【請求項２４】
前記トラックに記録された前記情報が、情報信号と、前記情報信号の特定の部分が記録されている部分の前記アドレスコードを与えるテーブルオブコンテンツとを含み、そして前記方法が、前記テーブルオブコンテンツが記録されるべき前記トラック部分の位置を、前記補助コードから決定することを更に有する、請求項19に記載の方法。
【請求項２５】
前記トラックに記録される前記情報が、前記情報信号の前記終端を示すリードアウト信号を更に含み、そして、更に、前記リードアウト信号が、前記トラックの前記終端の前に完了させるために、開始しなければならない前記トラック部分の位置を、前記トラックから読出された前記補助コードから決定する、請求項19に記載の方法。
【請求項２６】
前記トラックに記録される前記情報が、情報信号と、前記情報信号の前記終端を示すリードアウト信号とを含み、そして、更に、前記リードアウト信号が、前記トラックの前記終端の前に完了させるために、開始しなければならない前記トラック部分の位置を、前記トラックから読出された前記補助コードから決定する、請求項19に記載の方法。
【請求項２７】
補助信号が、
(a) アドレスコードが位置する逐次トラック部分のアドレスを規定する逐次アドレスコード、および
(b) 前記アドレスコードと交互に配置され、記録装置による使用のための制御データを規定し、前記アドレスコードと前記補助コードとが同一のデータフォーマットを有し、かつ前記アドレスコードとそれらを識別する識別要素を有する、補助コード、
を含み、
当該トラックから読出された当該補助信号から同一のデータフォーマットを有する当該コードを検索し、
前記アドレスコードと前記補助コードを選択的に抽出し、そして
前記情報の記録の際に前記補助コードによって規定される前記制御データを使用する記録装置によって前記トラックに前記情報を記録する、
記録方法。
【請求項２８】
(a) アドレスコードが位置すべき逐次トラック部分のアドレスを規定する逐次アドレスコード、および
(b) 前記トラックに情報を記録する際の記録装置による使用のための制御データを規定する、前記アドレスコードと交互に配置されている補助コードであって、前記アドレスコードと前記補助コードが、同一のデータフォーマットを有し、かつ当該補助コードが、当該アドレスコードとそれらを識別する識別要素を有する補助コード、を有する補助信号を生成することと、
前記トラックが前記補助信号に従って横断方向に変調されるように前記トラックを生成すること
とを有する、記録坦体に連続するトラックを生成する方法。
【請求項２９】
前記トラックが生成されるときに、コードが当該トラック上で等距離の位置に存在するように、前記アドレスコードと前記補助コードが、前記補助信号内に配置されていて、そして前記アドレスコードが、それらが位置すべき位置と特定参照位置間の、前記トラック方向で測定される距離を示す、請求項28に記載の方法。
【請求項３０】
前記トラック方向を横切る前記トラックの周期的な揺動が存在するように、前記トラックが生成され、当該周期的な揺動の周波数が、前記補助信号に対応するように変調される、請求項28に記載の方法。
【請求項３１】
前記トラック部分が、前記トラック部分が共通回転中心に関して実質上同心となるように、生成され、そして前記アドレスコードが、前記回転中心から所定の半径方向の距離にある参照位置に対する前記トラック部分の前記アドレスを示す、請求項28に記載の方法。
【請求項３２】
前記制御データが、前記トラック上への前記情報の記録時に設定されるべき前記記録装置の書き込みビームの所望のエネルギーレベルを規定する、請求項28に記載の方法。
【請求項３３】
前記補助コードが、テーブルオブコンテンツが前記記録担体に記録されるべき前記トラック部分の位置を規定する、請求項28に記載の方法。
【請求項３４】
前記補助コードが、情報信号の前記終端を示すリードアウト信号が、前記トラックの前記終端の前に完了させるために、開始しなければならない前記トラック部分の位置を規定する、請求項28に記載の方法。
【請求項３５】
前記補助コードが、前記アドレスコード内において発生しないビット組合せを有するように、前記アドレスコードと異なっている、請求項28に記載の方法。
【発明の詳細な説明】
本発明は、予め備えられたトラック変調によってアドレスコードを有する補助信号が記録されている予め設けられたトラックを有し、そのアドレスコードが当該コードを記録したトラック部分のアドレスを指定する、書き込み可能な記録担体と、前記補助信号を読み出す読み出し手段を有する、前記トラック変調を備えた前記トラック内に情報を記録するための記録装置とを有している情報記録システムに関する。
本発明は、更に、その様な情報記録システムに使用される記録装置および記録担体にも関する。
第一パラグラフに規定される情報記録システムは、オランダ特許出願NL-A-8700655号（PHN 12063）（米国特許第5,023,856号）により知られている。
この既知のシステムは、連続するトラックを記録するために使用することが可能なので、その開始点を特定なアドレスコードによって指定することが出来る所望のトラック部分に、例えば、CDオーディオ信号の様な、EFM変調信号を記録するのに非常に適している。
しかしながら、この様にして得られた記録担体が、読み出し専用CDオーディオ・ディスクまたはCD-ROMディスク用の既存の読み出し装置によって読み出すことが可能となるようにするためには、この既知の情報記録システムをCD信号の記録に使用する場合に、リードイン領域の開始点とCD標準によって規定されるプログラム領域の半径方向の位置とが正確に検出されることが出来ることが望ましい。更に、記録プロセスの開始前に記録担体全体の再生時間が知られていることが望ましい。標準CD信号が、特定なリードアウト信号を記録するリードアウトトラックでプログラム領域が終了するように記録されている場合には、この点は、特に、望ましい。適切な長さのリードアウトトラックを得るために、リードアウトトラックはトラックの終端から適切な距離離れた位置から開始すべきである。
前述したデータとは別に、ディスク毎にかなり異なる、制御目的のための他の記録プロセス制御データは、記録前に知られていることが望ましい。例えば、記録材料のタイプが異なると書き込みエネルギも実質上異なる。
本発明の目的は、記録に必要となるデータが簡単な方法で得られる情報記録システムを提供することにある。この目的に対して、第一パラグラフで規定した情報記録システムの特徴とするところは、アドレスコードに加えて前記補助信号もまた前記アドレスコードから識別することが出来る補助コードを有し、前記記録装置が前記補助信号から前記アドレスコードと前記補助コードとを別個に抽出する手段を有し、前記補助コードが前記記録プロセスを制御する目的のための制御データを有し、前記記録装置が前記導出された補助コードに応じて前記記録プロセスを制御する様に構成されている点である。
本記録システムの別の実施態様の特徴とするところは、前記アドレスコードと前記補助コードとが同一のデータフォーマットを有していることである。同一のフォーマットを選択することにより大部分のアドレスコードと補助コードとを同一のハードウェアによって処理することが出来る。
本装置の一実施態様の特徴とするところは、前記補助信号に含まれる前記アドレスコードの1個または前記補助信号に含まれる前記補助コードの1個が、毎回、前記トラックの等距離の位置に記録され、前記アドレスコードが、毎回、それらが記録された位置と特定参照位置との前記トラック方向の距離を示し、前記記録装置が、読み出される前記補助信号から、等距離に記録された前記アドレスと前記補助コードとを読み出すプロセスに同期しているクロック信号を導出する同期手段と、前記クロック信号によって制御された計数器と、読み出される前記アドレスコードに対応する値に前記計数値をセットする様に正しく読み出されたアドレスコードに応答する手段とを有している点である。
この実施態様においては、計数器は、補助信号が読み出されるトラック部分の正しいアドレスを常に示す。このことは、アドレスコードの代わりに補助コードが記録されているトラック部分が、アドレス可能な状態にあると言う利点を有している。
本情報記録システムの別の実施態様の特徴とする点は、前記トラック変調が、前記トラック方向を横切る方向での周期的なトラック揺動を有し、当該周期的なトラック揺動の周波数が前記補助信号に応じて変調されていて、前記読み出し手段が、前記トラック変調を検出しかつ前記検出されたトラック変調の周波数に対応する周波数の検出信号を発生させる検出手段と、前記補助信号を再生させる目的で前記検出信号の周波数変化を検出する周波数復調器とを、有している点である。この実施態様に使用されているトラック変調は、それを技術的に非常に容易に実現することが出来ると言う利点を有している。これは、例えば、トラック深さ変調によって、例えば、ピット構造の形態で（これは技術的にはかなり困難である）、このデータを記録することに比較して有利である。本発明の情報記録システムは、予め決められた数多くの半径方向の別個の位置が、情報を同心トラックパターンを持つ記録担体に記録する際に、知られていなければならない場合に、特に有利である。この事自体は、情報をCD標準に従って記録する際に起きる。この場合には、情報信号を、その開始点が標準によって規定されている半径方向の位置に位置させ、記録された情報の特定位置のアドレスを指定するテーブル・オブ・コンテンツをその開始点も又規定された半径方向の位置に位置している領域に記録させなければならない。この場合、予め決められたアドレスは、半径方向の位置の1個に指定することが出来、一方予め決められた他の半径方向の位置を持つトラック部分のアドレスは補助コードによって示すことが出来る。
これもまた標準CD信号に非常に適している、情報記録システムの別の実施態様においては、リードアウトトラックの記録が開始される一端の位置のアドレスが補助信号に含まれているので、記録装置は、読み出される補助信号によってリードアウトトラックの開始点が補助信号で指定されているアドレスの前に位置するように、リードアウト信号の記録が開始されるトラック部分を決定することが出来る。
[実施例]
第1図は、参考例としてオランダ特許出願NL-A-8800152号(PHN 12399)（米国特許第4,999,825号）に示されているような書き込み可能な記録担体1の可能な実施態様を示している。第1a図は、平面図である。第1b図は線b-bに関する断面図の小部分を示す。第1c図及び第1d図は、記録担体1の第一実施態様及び第二実施態様の一部分2を極端に拡大した平面図である。記録担体1は予め形成された溝またはリッジ等によって構成されるトラック4を有している。トラック4は情報信号を記録するためのものである。記録目的のために記録担体1には透明基板5上にデポジットさせ保護層7により被覆された記録層6が設けられている。記録層6は、適切な強度の適切な放射が照射されると光学的に検出可能な変化を発生する材料からなる。この層は適切な強度のレーザ放射の照射により局所的に溶融され、その結果この局所部分の当該層の反射係数が変化する。このトラック4が、記録される情報に応じてその強度が変調される放射ビームにより走査されると、その情報を示す光学的に検出可能な記録マークの情報パターンが得られる。
この層を、例えば、磁気光学材料、染料、または熱により、例えば、非晶質から結晶質又はその逆という様な構造変化を生じる物質などの、他の放射検出物質により構成してもよい。この様な、物質の詳細は「光学ディスクシステムの原理(Principles of Optical Disc Systems)」Adam Hilger Ltd.発行、Bristol and Boston著，第210〜227頁に示されている。
トラック4により、情報を正確に記録するために、記録担体1に当たる放射ビームをトラック4に正確に位置決めすることが可能となる。つまり半径方向における放射ビームの位置を、記録担体1から反射した放射を用いるトラッキングシステムによって制御することが可能となる。記録担体上の放射スポットの半径方向の位置を測定する測定システムには、上述した本「光学ディスクシステムの原理(Principles of Optical Disc Systems)」に記載されているシステムのうちの一つを使用することが出来る。
補助信号は、第1c図に示されるような正弦トラックの揺動の形で、トラック4に予め形成されたトラック変調により、適切に記録される。しかしながら他の、例えば、トラック幅変調（第1d図）のようなトラック変調も使用することが出来る。トラック揺動は、記録担体の製造時に容易に実現することが出来るので、トラック変調にはこの様なトラック揺動の形態を使用することが望ましい。
第1図は、トラック変調を極端に誇張して示していることに注意されたい。実際には、ほぼ10-6mのトラック幅に対してほぼ30×10-9mの大きさの揺動が、走査ビーム変調を信頼性良く検出するのに適切であることが判明している。小振幅の揺動は、隣り合ったサーボトラックの距離を小さくすることが出来ると言う利点を有している。第1図は、又、実際よりもかなり大きなスケールでトラックピッチ（トラック中心の間の距離）を示している。実際にはトラックピッチはほぼ1.6×10-6mである。
望ましいトラック変調は、トラック変調の周波数が補助信号に対応して変調される変調である。しかしながら、オランダ特許出願NL-A-8701632号（特開昭64-39632号）に記載されているような他のトラック変調も又可能である。
第2図は、同期信号11と交互に入れ替わるコード信号12を有する適切な補助信号の一例を示す。各コード信号12は、76個のチャンネルビットの長さを有する「バイフェーズマーク」変調信号を有する。この信号は、38個のコードビットを有するコード語を示している。「バイフェーズマーク」変調信号の場合、各コードビットは、２個の連続したチャンネルビットによって表される。第一論理値（本例においては「0」）のコードビットは、同じ論理値の2個のビットによって表される。他方の論理値（「1」）は、論理値が異なる2個のチャンネルビットによって表される。更に「バイフェーズマーク」変調信号の論理値は、各一対のチャンネルビットの後毎に変化するので（第2図参照）、同一論理値の連続ビット数は最大で2個である。同期信号11は、コード信号12から区別することが出来るように選択される。これは、同期信号11の同一論理値の連続するビット数の最大値を3とするように選ばれる。
第3図は、コード信号12によって表される38ビットコード語17の適切なフォーマットを示している。ここに示されるコード語17は、各々が、8ビットの3個のバイト13、14及び15並びに14ビットのグループ16からなる。バイト13、14及び15の最上位ビットにはそれぞれ参照番号20、21及び22が付されている。バイト13、14及び15は、情報バイトとして使用され、14ビットのグループ16は、エラー検出の目的のためのパリティービットを有している。バイト13、14及び15によって表される値は、各々mm、ss及びffである。望ましくは、38ビットのコード語は、等距離の位置でトラックに記録され、かつ互いに区別することが可能で、かつ例えば、第7図に示されるようなシークエンスでトラックに記録されるアドレスコードAC及び補助コードHCを有している。第7図においては、一定数（本例においては9）のアドレスコードACの後に常に続く。しかしながら補助コードHCの間のアドレスコードACの数は、一定でなく変化するものであっても良いことに注意されたい。アドレスコードは、例えば、トラック4が標準走査速度で走査されているときに、トラックの参照点とアドレスコードが記録されている点との間の距離を結ぶのに必要な時間を示すタイムコードを有していてもよい。選択されたアドレスコードは、CD信号を記録する間にサブコードQチャンネルに含ませるような絶対タイムコードに一致するタイムコードが望ましい。この場合には値mmは分の数を示し、ss及びffの値は各々秒の数及びフレームの数を示し、秒を示す数は0と59の間、及びフレームを示す数は0と74の間となる。分、秒及びフレームの数は、例えば、バイト13、14及び15においてBCDエンコードされていても良い。
上述したアドレスコードの利点は、CD信号を記録担体に記録する場合に特に明らかである。この場合にはサブコードQチャンネルに含まれる絶対タイムコードを、読み出されるアドレスコードから直接取り出すことが出来る。この点はオランダ特許出願NL-A-8800152号(PHN 12399)（米国特許第4,999,825号）に詳細に示されている。
標準CD信号を記録する場合には、第4図に示されるように記録担体には3個の領域が区別される。つまり、
1）半径r2及びr3により区切られた半径方向の部分に位置するプログラム領域。この領域にはデータ信号が記録される；
2）半径r1及びr2により区切られた半径方向の間に位置するリードイン領域。この領域はプログラム領域の異なったデータ信号のアドレスがテーブル・オブ・コンテンツの形で、例えば、オランダ特許出願NL-A-8900766号）(PHN 12887)（米国特許第5,065,388号)に一例として示されているように記録されている；
3）半径r3及びr4により区切られた半径方向部分の間に位置するリードアウト領域。この領域にはデータ信号から区別されるリードアウト信号がプログラム領域の終端を示すために記録されている。
リードイン領域の始点及びプログラム領域の始点の半径方向の位置は、CD標準によって規定されていて、リードイン領域の始点から回転中心r0までの必要な距離は23mmで、プログラム領域の始点から回転中心r0までの距離は25mmである。更にリードアウト領域は、半径方向の予め決められている位置の前から始まることが要求されている。
CD信号に於けるプログラム領域の始点は、サブコードQチャンネルにおいて絶対タイムコード00:00:00によって示されている。プログラム領域において絶対タイムコードは、値00:00:00からスタートする。
トラック変調により記録されているアドレスコードを適切に使用するために、トラックに記録されているアドレスコードの値は、記録されるCD信号の絶対タイムコードに一致して変化させることが望ましい。このことは半径方向の位置がr2によって示されるトラック部分のアドレスコードの値が00:00:00であることを意味している。リードイン領域のアドレスコードの値は、増大してこの領域の終端において値99:59:74になることが望ましい。この事はプログラム領域における最初のアドレスコード値の00:00:00が、直接リードイン領域の最後のアドレスの値99:59:74に続くと言う利点を有している。アドレスコードの値の変化の結果は第5図において参照数字50によって示されている。
r1によって示される半径方向の位置でのアドレスコードの値をAVIとし、r3によって規定される半径方向のトラック位置でのアドレスコードの値をAVOとする。
半径r1及びr3によって規定される半径方向の位置でのアドレスコードの値は、トラックピッチと標準走査速度（CD標準によると1.2〜1.4m/sに選択される）に強く依存することに注意されたい。事実2個の半径方向の位置の間の全トラック長さはトラックピッチと標準走査速度に反比例する。第5図の線51は、トラックピッチが小さい場合又は走査速度が遅い場合のアドレスコードの値の変化を示している。この場合のr1及びr3により規定される半径方向の位置でのアドレスコードの値は、各々AVI′及びAVO′とされる。第5図から明らかであるように、r1及びr3により規定される半径方向の位置は、CD標準に従った場合のトラックピッチの走査速度が許容範囲で相違するために、種々の記録担体に対して相互に対応していない。しかしながらCD標準に対応するCD信号を記録するためには、r1及びr3によって規定される半径方向の位置は正確に決定出来ることが望ましい。このことは、r1及びr3によって規定される半径方向の位置を、それらの半径方向の位置のトラックに記録されている特定補助コードによりマークすることにより達成することが出来る。しかしながらトラックの補助コードは、実際のリードイン領域及び／又はプログラム領域に記録することが望ましい。この補助コードは、r1及びr3によって示される半径方向の位置を規定する値AVI及びAVOのアドレスコードに対応する。所定のトラックピッチ及び走査速度に対しては、AVI及びAVOの値は、予め計算することが出来、そしてこれらの値は、マスタリングプロセスにおいてサーボトラックを記録する間に記録することが出来る。
このことは、AVI及びAVOの値を補助コードに含ませることによって達成させることが出来る。この方法が望ましい理由は、補助コードを記録する位置に自由に選択することが出来るからである。更にその際、値AVI及びAVOを含む補助コードをトラックに沿って一様に分割することが出来るので、常にAVO及びAVIに関する補助コードを即座に発見することが可能となる。
既に述べたように、補助コード及びアドレスコードは、互いに区別することが可能であるようにすべきである。このことは、例えば、アドレスコードを示すコード信号と補助コードを示すコード信号との前に、異なった同期信号11を設けることによって達成することが出来る。ここで述べたコード信号12と共に使用することが可能である他の多くの同期信号11は、オランダ特許出願NL-A-8801275号(PHN 12571)（米国特許第5,060,219号）に記載されている。
しかしながら、アドレスコード内で発生しないような特定なビットコンビネーションを補助コードに含ませると、補助コードも又アドレスコードから識別することが可能となる。もし上述したタイムコードをアドレスコードに使用する場合には、このことは、3個のバイト12、14及び15の最上位ビット20、21及び22を有するビットコンビネーションによって可能となる。このことは第6図を参照して次に説明される。
第6図において、参照番号66は、リードイン領域におけるアドレスコードを可能とするビットコンビネーションを示す。リードイン領域においてバイト13は大きな値mmを有するので、この領域におけるバイト13の最上位ビット20は常に論理値1を有している。バイト14の値ssは0と59の間で変化し、これは、BCDエンコーディングの場合、バイト14の最上位ビット21が論理値0を有していることを意味している。バイト15の値ffは0と74の間で変化するので、バイト15の最上位ビット22も又常に論理値0を有している。ビットコンビネーション66におけるバイト13、14及び15の他のビットは、論理値0又は論理値1の何れかをとり、これはシンボル「ｘ」によって示されている。
参照番号67は、リードイン領域の外に位置するトラック部分におけるアドレスコードのバイト13、14及び15の可能なビットコンビネーションを示す。リードイン領域のアドレスコードの場合と同様な理由により、ビットコンビネーション67のバイト14及び15の最上位ビット21及び22は、常に論理値0を有している。更に、記録担体の再生時間は限られているので、ビットコンビネーション67の最上位ビット20が値1となる値を有するアドレスコードは、プログラム領域には発生しない。
参照番号61、62、63、64、65及び69は、バイト13、14及び15の最上位ビット20、21及び22のコンビネーションが、アドレスコードに於ける対応ビットコンビネーションとは異なる、数多くのビットコンビネーションを示している。従って、このビットコンビネーションを、補助コードHCに対して使用することが可能となる。この場合、バイト13、14及び15の7個の最下位ビットは、付加情報を表すことが可能となる。例えば、ビットコンビネーション61が値AVOのアドレスコードを表すようにすることが可能である。AVOに対するアドレスコードのバイト13、14及び15の最上位ビットは常に同じ論理値0であるので、AVOの値をビットコンビネーション61のバイト13、14及び15の7個の最下位ビットにより完全に表すことが可能となる。
同様に値AVIをビットコンビネーション62によって表すことも可能となる。ビットコンビネーション63、64及び65は、他の付加情報、例えば、記録するために必要となる書き込みエネルギ、記録担体のタイプ、書き込み手順等、の様な他の付加的情報をトラックに書き込む補助コードとして使用することも可能である。
第8図は上述した記録担体1にデータ信号Viを記録する記録装置の一実施態様を示している。記録担体1は、モータ81により回転駆動されるターンテーブル80の上に載置される。通常のタイプの光学書き込み／読み出しヘッド82が、記録層6に照射される放射ビーム83によってトラック4に（／又は、それから）情報を読み出し及び／又は書き込むために、担体１の反対側に配置される。読み出しヘッド82は、例えば、モータ85とスピンドル84を有しているシステムによって、記録担体１に対して相対的に半径方向に移動することが可能である。ビーム83は、通常の方法により記録層６にフォーカスされ、図示されていない通常のフォーカス及びトラックシステムによってトラック4に維持される。トラックが走査される際、ビームは、予め形成されているトラック変調により変調される。読み出しヘッド82において、この様に変調されたビームが、通常の放射検出器により検出される。この検出器は、例えば、オランダ特許出願NL-A-8700655号(PHN 12063)（米国特許第5,023,856号）に示されているような方法によって、検出回路86により、その周波数がトラック変調の周波数に対応している検出信号Vdを導出する信号電流を発生させる。検出信号Vdは、モータ制御回路87に与えられ、これにより検出信号Vdの周波数が参照クロック信号Ckの周波数に等しくなるようにモータの速度が制御される。モータ制御回路87は、例えば、検出信号Vdと参照クロック信号Ckとの間の位相差を検出する位相検出器、及びこの様にして得られた位相差に依存する電圧を発生させてモータを回転させる電源回路を有することも可能である。
検出信号Vdは、その検出信号Vdから補助信号Vhを再生するFM復調器88にも与えられる。再生された補助信号Vhは、同期信号検出回路89に与えられ、補助信号Vhの同期信号11が検出される。一方、補助信号Vhは「バイフェーズマーク」復調器90にも与えられ、38ビットコード語17に変換される。38ビットコード語17のビットは、シリアルにエラー検出回路91に与えられ、ここでビットグループ16のパリティビットによってコード語がエラー無しに受け入れられたか否かが決められる。更に、シリアルに与えられたコード語17は、シリアルパラレルコンバータ92にも与えられ、バイト13、14及び15のビットがパラレルに出力される。コンバータ92の出力端に出力される3個のバイト13、14及び15の最上位ビット20、21及び22は、通常のデコーダ回路93に与えられ、これは8個の信号V1, V2, V3, V4, V5, V6, V7, V8を発生させる。信号V1, …V8とバイト13、14及び15の最上位ビット20、21及び22の関係は次の表1に与えらる。
0003778452.tif 000002
信号V3, V4, V5, V6, V7及びV8は、記録装置を制御するための制御回路94に与えられる。制御回路94は、後述する適切な制御プログラムが格納されている通常のタイプのマイクロコンピュータを有することが出来る。デコーダ回路93の出力端での信号V1及びV2は、2入力ORゲート95に与えられる。信号V1及びV2は、コンバータ92の出力端でのバイト13、14及び15が、リードイン領域内でのアドレスコード又はリードイン領域の外でのアドレスコードを表すことを示しているので、ORゲート95の出力信号は、コンバータ92の出力信号がアドレス情報に関係しているか否かを常に示している。ORゲート95の出力信号は、2入力ANDゲート96の一方の入力端に与えられる。毎回受け取られたコード語17が正しいことを1個のパルスによって示すエラー検出回路91からの信号は、ANDゲート96の他方の入力端に与えられる。
このようにして、ANDゲート96は、１個のパルスにより、毎回コンバータの出力端の情報が正しく読まれたアドレスコードであるか否かを示す。ANDゲート96の出力信号は、計数回路97のパラレルロードイネーブル入力端に与えられる。コンバータ92の出力端に表れるバイト13、14及び15は、計数回路97のパラレル入力端に与えられるので、正しく読み出されたアドレスコードを受け取る度に、計数回路97には読み出されたアドレスコードがロードされる。計数回路97は、計数器のクロック入力端でのクロックパルスに応答して計数器の計数値を1個だけインクリメントするタイプである。読み出される同期信号11と同期するクロック信号が、当該クロック入力端に与えられるが、そのクロック信号は、同期信号検出回路89の出力信号から通常のフェーズロックドループ回路103によって得られる。
計数回路97は、次のように動作する。フェーズロックドループ回路103によって得られたクロック信号パルスに応答して、計数値は、トラックに記憶されているコード値を読み出す度にその動作に同期して1個だけインクリメントされる。このことは、計数値が、読み出されるアドレスコードに対応する値になると即座に、次のアドレスコードが正しく読まれていなくても、あるいは読み出される次のコード語17がアドレスコードACを含まず補助コードHCを含んでいたとしても、計数値が読み出されるアドレスコードの値に従うことを意味する。もし最初計数値が、読み出されるアドレスコードに対応しない場合には、計数器に、ANDゲート96の出力端の次のパルスに応答して、コンバータ92によって与えられる正しい値がそのパラレル入力端を介してロードされる。
計数値が読み出されるアドレスに対応している限り、ANDゲートの出力端でのパルスは何の効果も持たない。何故ならば、その時の計数値は、計数回路のパラレル入力端に与えられたアドレスコードに対応しているからである。アドレスコードを得るこの方法は次の様な利点を有する。つまり、それは、走査されるトラックの位置に対応するアドレスコードが、例え、補助コードHCがアドレスコードACの代わりにトラックに記録されている場合でも、得られると言う点である。このことは、アドレスコードが記録されているトラック部分も依然としてアドレス可能であることを意味している。コンバータ92の出力端でのバイト13、14及び15は、計数回路97のパラレル入力端のみならず制御回路94にも与えられる。
更に、制御回路94は、信号線98及び99を介して書き込み／読み出しヘッド82及びモータ85に結合されている。読み出しヘッドは、信号線98を介して読み出しモード又は書き込みモードにセットすることが出来る。読み出しモードにおいては、放射ビーム83の強度は一定の小さな値に維持されるが、これは非常に小さいので記録層6に光学的に検出可能な変化を発生させることはない。書き込みモードにおいては、放射ビームの強度は、光学的に検出可能な変化を発生させない低い強度のレベルと記録層6に光学的に検出可能な変化を発生させる高い強度のレベル（書き込みエネルギとも称される）との間の書き込み信号によってスイッチされるので、書き込み信号Vsに対応した光学的に検出可能なパターンが記録層６に形成される。書き込み信号Vsは、EFM変調回路100によって形成される。この回路は、データ信号Viとバス101を介して与えられたサブコード情報とを、CD標準に対応したEFM変調信号に変換する。その変調信号から、書き込み信号Vsが、例えば、オランダ特許出願NL-A-8700934号(PHQ 87009)（米国特許第5,001,692号）に詳細に記載されているような形態で導出される。更に、高い書き込みレベル（書き込みエネルギ）は、信号線8を介して補助コードに示されている値にセットさせることが出来る。
記録担体に情報を記録するプロセスは、この目的のために適切な制御プログラムがロードされている制御回路94によって制御される。この様な制御プログラムは、例えば、第9図のフローチャートに示されているステップを有することが可能である。
ステップS1は、記録担体1が記録装置に装顛されると即座に実行される。このステップS1においては、読み出し／書き込みヘッド82が書き込みモードにセットされていて、かつデコーダ回路93の出力端での信号V3およびV4によってコンバータ92の出力端に与えられるコードが、アドレス値AVOおよびAVIを含む補助コードを有するか否かが確認される。これらの補助コードの存在が検出されると、AVOおよびAVIの値が制御回路のメモリにストアされる。
続いて、ステップS2において、読み出し／書き込みヘッド82が、読み出されるアドレスコードによって値AVIのアドレスコードを含むトラック部分に向けられ、そしてこのトラック部分に記録されているテーブル・オブ・コンテンツを用いてプログラム領域内のアドレスが、次のデータ信号の記録の開始前に決定される。この開始アドレスをこの様なテーブル・オブ・コンテンツ内に指定することを可能とする方法はオランダ特許出願NL-A-8900766号(PHN 12887)（米国特許第5,065,388号）に詳細に記載されている。当該特許出願には、暫定的なテーブル・オブ・コンテンツをリードイン領域に記録する方法が記載されている。全ての必要なデータが記録されると即座に、確定したテーブル・オブ・コンテンツが、CD標準によって規定されている態様でリードイン領域に記録される。
ステップS3において、読み出し／書き込みヘッド82は、読み出されるアドレスによって暫定的なテーブル・オブ・コンテンツ内で指定されている開始アドレスを有するトラック部分に向けられる。このトラック部分に到達すると、読み出し／書き込みヘッド82は書き込みモードにセットされ、以後EFM変調回路100に与えられるデータ信号Viの記録が可能になる。記録された信号のサブコードQチャンネルに挿入される絶対タイムコードに対しては、計数回路97のカウントを使用することが出来るが、これらのモードは、バス102を介して制御回路94によって読み出され、続いてバス101を介してEFM変調回路100に与えられる。更に、読み出される各計数値は、値AVOと比較され、その計数値が値AVO以上である場合にはデータ信号の書き込みは停止される。書き込むべきデータ信号が完全に記録されると、書き込みも終了する。書き込みプロセスが終了するとステップS4が実行され、書き込みが、到達する値AVOが指定するトラック部分の結果として停止されたのか否かが確認される。もしそうである場合には、ステップS5が実行され、リードアウト信号が、予め決められた時間間隔の間に記録され、リードアウト信号を特徴付けるサブコード情報が、制御回路94によってEFM変調回路に与えられる。リードアウト信号の記録の後、書き込み／読み出しヘッド82は、リードイン領域内に確定したテーブル・オブ・コンテンツを記録するステップS6内のリードイン領域に向けられる。
ステップS4の間に、データ信号の記録が、到達する値AVOを有するアドレスコードを持つトラック部分の結果として停止したのではないことが確認された場合には、暫定的なテーブル・オブ・コンテンツが、ステップS7の間にリードイン領域に記録される。続いて、ステップS8において、データ信号が更に記録担体に記録されるべきか否かがチェックされる。もしそうである場合には、プログラムは終了する。もしそうでない場合には、ステップS9において確定したテーブル・オブ・コンテンツがリードイン領域内に記録され、そしてステップS10でリードアウト信号が記録され、その後プログラムは終了する。
ここまでの記載においては、本発明は、実質上同心トラックを有する記録担体上に標準CD信号を記録する光学記録に関して開示された。しかしながら、本発明はリニアトラックに信号を記録する場合にも同様に適用出来ることに注意されたい。更に、本発明は、CD信号以外の他のデータ信号の記録にも適用することが出来る。本発明の範囲は、光学記録システムに限定されない。これは、アドレスコードが前もって設けらたトラック変調によって記録される磁気光学記録システムまたは磁気記録システムにも同様に適用することが出来る。
【図面の簡単な説明】
第1図は、トラック変調を示すサーボトラックが設けられた記録担体を示し、
第2図は、トラック変調によってサーボトラック内に記録されている補助信号に対する適切なフォーマットを示し、
第3図は、補助信号によって表されるコード語で、
第4図は、標準CD信号が記録されている記録担体のレイアウトを示し、
第5図は、それらが記録されているトラック部分の半径方向の位置を関数としたアドレスコードを与え、
第6図は、補助コード及びアドレスコードに使用される数多くのビットコンビネーションを与え、
第7図は、記録された補助コード及びアドレスコードの部分を線図的に示したトラック部分を示し、
第8図は、本発明の情報記録システムの一実施態様を示し、
第9図は、第8図に示される情報記録システムによって情報を記録するプロセスを制御する制御プログラムのフローチャートを示す。
1…記録担体、          2…記録担体の一部分、
4…トラック、          5…透明基板、
6…記録層、            7…保護層、
11…同期信号、        12…コード信号、
13, 14, 15…バイト、  16…14ビットのグループ、
17…コード語、        20, 21, 22…最上位ビット、    38補助信号、
61, 62, 63, 64, 65, 66, 67, 69…ビットコンビネーション、
80…ターンテーブル、    81, 85…モータ、
82…読み出し／書き込みヘッド、  83…放射ビーム、
84…スピンドル、
86…検出回路、          87…モータ制御回路、  88…FM復調器、
89…同期信号検出回路、  90…「バイフェーズマーク」復調器、
91…エラー検出回路、    92…シリアルパラレルコンバータ、
93…デコーダ回路、      94…制御回路、      95…ORゲート、
96…ANDゲート、        97…計数回路、      98, 99…信号線、
100…EFM変調回路、    101, 102…バス、
103…フェーズロックドループ回路
【図１ａ】
0003778452.tif 000003
【図１ｂ】
0003778452.tif 000004
【図１ｃ】
0003778452.tif 000005
【図１ｄ】
0003778452.tif 000006
【図２】
0003778452.tif 000007
【図３】
0003778452.tif 000008
【図４】
0003778452.tif 000009
【図５】
0003778452.tif 000010
【図６】
0003778452.tif 000011
【図７】
0003778452.tif 000012
【図８】
0003778452.tif 000013
【図９】
0003778452.tif 000014